(57)【要約】【課題】操作者の色覚特性に合わせて、操作画面の色調を選択でき、画面内容の確認と操作とをし易くする。【解決手段】各種設定項目の操作画面の前に、色調のモードの設定のためのモード設定画面５が表示画面２に表示される。このモード設定画面５には、割り当てられた色調（白黒も含む）でモード設定ボタン６ａ〜６ｄが表示され、見易い色調をモード設定ボタン６ａ〜６ｄで選択可能としている。また、このモード設定画面５の背景８も、選択されたモード設定ボタンに割り当てられた色調で表示され、画面全体が見易いか否かを確認可能としている。モード設定ボタンの選択決定をすると、各種事項の設定のための操作画面が表示されるが、決定したモード設定ボタンに割り当てられた色調でこの操作画面が表示されることになる。これにより、色覚異常の操作者や高齢者に対しても、操作がし易いものとなる。【選択図】　　　　図２
2004077828.tif 000002
【特許請求の範囲】
【請求項１】
操作画面を表示し、該操作画面で所定の操作をすることができるようにした表示画面での画面表示方法において、
該表示画面に色調が異なる複数のパターンを選択可能に表わした選択画面を表示し、該パターンを選択することにより、該操作画面を選択された該パータンの色調で表示することを特徴とする画面表示方法。
【請求項２】
請求項１において、
前記操作画面の操作対象とともに、該操作対象以外の背景のエリアを選択された前記パターンの色調で表示することを特徴とする画面表示方法。
【請求項３】
操作画面を表示し、該操作画面で所定の操作をすることができるようにした表示画面での画面表示方法において、
該操作画面を操作する操作者の個人情報と該個人情報に応じた該操作画面の色調などの表示形態とが予め登録されており、
該操作者が操作するときの該操作画面を、該操作者の個人情報に応じた表示形態で表示することを特徴とする画面表示方法。
【請求項４】
請求項３において、前記操作者が操作するときの前記操作画面の表示形態を前記操作者によって選択可能としたことを特徴とする画面表示方法。
【請求項５】
請求項４において、
前記操作画面は前記操作者の操作対象と広告を表示する領域とを有し、
前記操作者の表示形態の選択により、該操作対象は選択された該表示形態で表示するが、該広告は前記操作者の前記個人情報に応じた表示形態で表示することを特徴とする画面表示方法。
【発明の詳細な説明】
【０００１】
【発明の属する技術分野】
本発明は、テレビジョン受像機の各種項目の設定のための操作画面やＡＴＭ，券売機などの操作画面の表示方法に係り、特に、色調などのその表示形態に関する。
【０００２】
【従来の技術】
近年、各種業界では、端末装置が広く使用されるようになってきている。例えば、銀行などでＡＴＭ（Ａｕｔｏｍａｔｉｃ　Ｔｅｌｌｅｒｓ　Ｍａｃｈｉｎｅ：自動現金預入支払機）が、駅などでは券売機や地図案内機が夫々設置され、銀行や駅などの業務の一部を端末装置で賄うことができるようにしている。また、ファーストフード店などの店舗においても、商品の注文処理に端末装置を用いるようにする場合もあり（例えば、特開平５ー２１６５８７号公報）、さらに、インターネットなどの通信ネットワークを利用してコンテンツの配信を受ける端末装置やウェブ閲覧（ブラウズ）用の端末装置なども実現あるいは提案されている。
【０００３】
ところで、このような端末装置では、表示装置が設けられており、その表示画面に表示されるメッセージなどの情報を見ながらキーボードやタッチパネルなどの入力手段を操作することにより、上記のような各種の作業ができるようにしている。
【０００４】
また、テレビジョン受像機（以下、ＴＶ受像機という）においても、放送番組ばかりでなく、輝度や音量などのこのＴＶ受像機の特性に関する各種事項を調整，変更するための操作画面や番組予約を設定するための操作画面を表示可能とし、これら操作画面を操作して各種項目の設定ができるようにしている。
【０００５】
ところで、かかる操作画面では、白黒も含めたある色調を用いて表示がなされているが、この色調は固定されたものである。このため、これを操作する人（操作者）によっては、その色覚特性により、非常に見づらい画面となっている場合もある。
【０００６】
この問題を解消するために、例えば、特開２００１ー１５４６５５号公報において、画面の色調を変換することができるようにしたシステムが提案されている。これは、背景となる画像の中に含まれた文字が見易くなるように色変換するものであって、画像情報の中から文字情報を抽出し、その色情報を設定された色変換ルールに従って色変換し、これを画像情報に返して画像とともに表示するものである。特に、色覚異常者や高齢者などでは、背景色と文字の色との組み合わせによっては、文字の認識が困難になるものもあり、かかる文字に対しては、その色を変換することにより、見易くするものである。
【０００７】
【発明が解決しようとする課題】
ところで、上記従来のシステムでは、設定された色変換ルールに従って文字の色を変換するものであるが、色覚異常者や高齢者に応じて文字が見にくくなる背景色と文字の色との組み合わせが異なるものであることを考えると、これに応じて色変換ルールを変更する必要がある。
【０００８】
しかしながら、かかるシステムを使用する人にとっては、設定されている色変換ルールを選択可能としても、一般に、どの色変換ルールが色をどのように変換するかを知っていないものであり、夫々の色変換ルールを試しに使ってみてその人自身に適合した色変換ルールを探し出すことができるものである。このため、表示される文字を見易くするためには、そのための前作業に非常な手間が掛かることになる。特に、ＡＴＭや券売機などの一般に広く使用される端末装置にかかるシステムを適用した場合には、操作に手間が掛かって、その利用者にとっては使いにくいものとなるという問題がある。
【０００９】
本発明の目的は、かかる問題を解消し、いかなる操作者に対しても、操作の手間を省いて、この操作者が見易い操作画面を表示することができるようにした画面表示方法を提供することにある。
【００１０】
【課題を解決するための手段】
上記目的を達成するために、本発明は、操作画面を表示し、この操作画面で所定の操作をすることができるようにした表示画面での画面表示方法であって、表示画面に色調が異なる複数のパターンを選択可能に表わした選択画面を表示し、所望とするパターンを選択することにより、この操作画面を選択されたこのパータンの色調で表示するものである。
【００１１】
これにより、かかるパターンによって見易い色調を判別することができ、そのパターンを選択することにより、見易い色調でもって操作画面が表示されるようになる。
【００１２】
また、本発明は、操作画面を表示し、この操作画面で所定の操作をすることができるようにした表示画面での画面表示方法であって、この操作画面を操作する操作者の個人情報とこの個人情報に応じた操作画面の色調などの表示形態とが予め登録されており、操作者が操作するときの操作画面を、この操作者の個人情報に応じた表示形態で表示するものである。
【００１３】
これにより、操作者は、表示形態の設定操作をすることなく、自身に適合した表示形態の操作画面を得ることができる。
【００１４】
【発明の実施の形態】
以下、本発明の実施形態を図面を用いて説明する。
図１は本発明による表示画面自動切替システムの第１の実施形態を示す図であって、同図（ａ）は概略構成図、同図（ｂ）は同図（ａ）におけるリモートコントローラ（以下、リモコンという）の一具体例の操作部を示す平面図であり、１はテレビジョン受像機（以下、ＴＶ受像機という）、２は表示画面、３はリモコン受光部、４はリモコン、４ａは「メニュー」ボタン、４ｂは「画面表示」ボタン、４ｃは「選択」ボタン（例えば、十字キー）、４ｄは「決定」ボタン、４ｅは「戻る」ボタン、４ｆは「電源」ボタン、４ｇはテンキーである。
ここでは、この第１の実施形態をＴＶ受像機として説明する。
【００１５】
図１（ａ）において、ＴＶ受像機１には、リモコン４がセットされている。このリモコン４を操作すると、この操作に伴う制御信号が赤外線などによって送信され、これがリモコン受光部３で受光されることにより、このＴＶ受像機１がこの制御信号に応じて制御される。
【００１６】
リモコン４は、図１（ｂ）に示すように、その操作面に「メニュー」ボタン４ａや「画面表示」ボタン４ｂ，「選択」ボタン４ｃ，「決定」ボタン４ｄ，「戻る」ボタン４ｅ，「電源」ボタン４ｆ，テンキー４ｇなどを備えており、「電源」ボタン４ｆの操作により、ＴＶ受像機１の電源のオン，オフができる。
【００１７】
この「電源」ボタン４ｆを操作してＴＶ受像機１の電源をオンにすると、その表示画面２にＴＶ放送番組が表示され、テンキー４ｇを操作することにより、所望とするＴＶ放送番組を選局することができるが、また、「メニュー」ボタン４ａを操作することにより、ＴＶ受像機１の輝度や音量，番組予約などの各種事項の設定を可能とするメニュー画面を表示画面２に表示させることができる。そして、かかるメニュー画面に対し、「選択」ボタン４ｃを操作することにより、所望とするメニューや項目などを選択することができ、「決定」ボタン４ｄを操作することにより、選択されたかかるメニューや項目などの選択決定をすることができる。また、「戻る」ボタン４ｅを操作すると、表示画面２上で１つ前に表示された画面に戻ることになる。なお、「画面表示」ボタン４ｂを操作すると、このＴＶ受像機１の所定の設定内容が表示画面２に表示される。
【００１８】
ところで、この第１の実施形態は、視聴者の色覚特性に合わせた色調で各種事項の設定のための画面を表示することにより、設定画面を視聴者の見易い画面として視聴者が操作し易いようにするものである。
【００１９】
このため、視聴者が所望の事項の設定をするために、リモコン４で「メニュー」ボタン４ａを操作すると、ＴＶ受像機１の表示画面２に、まず、メニュー画面としての図２に示すようなモード設定画面５が表示される。ここで、この「モード」とは、表示画面２に表示されるメニュー画面の色調に対するものであって、ここでは、モード１，２，３，４の４個のモードが選択可能としており、１つのモードが選択されると、その選択されたモードに応じた色調でメニュー画面が表示されるものである。
【００２０】
そこで、図２に示すモード設定画面５では、モード１を選択するためのボタン、即ち、「モード１」設定ボタン６ａと、モード２を選択するための「モード２」設定ボタン６ｂと、モード３を選択するための「モード３」設定ボタン６ｃと、モード４を選択するための「モード４」設定ボタン６ｄとの４個のモード設定ボタンが表示され、そのいずれかを選択決定することにより、各種事項を設定するためのメニュー画面がこの選択結果に応じた色調で表示されることになる。
【００２１】
このモード設定画面５では、モード設定ボタン６ａ，６ｂ，６ｃ，６ｄが夫々、モードに対して割り当てられた色調で色付けられて表示されている。即ち、「モード１」設定ボタン６ａはモード１に対して割り付けられた色調に色付けられており、「モード２」設定ボタン６ｂはモード２に対して割り付けられた色調に色付けられており、「モード３」設定ボタン６ｃはモード３に対して割り付けられた色調に色付けられており、「モード４」設定ボタン６ｄはモード４に対して割り付けられた色調に色付けられている。
【００２２】
図３は各モード毎に割り付けられた色調の一具体例を示す図である。色調は原色Ｒ（赤），Ｇ（緑），Ｂ（青）で表わされるが、これら原色の値をｘ，ｙ，ｚとし、かつこれらｘ値，ｙ値，ｚ値は０から２５５までの２５６段階の値を取るものとする。
【００２３】
同図において、モード１は色覚特性が標準の視聴者、即ち、標準者対応のものであって、ｘ，ｙ，ｚが０≦ｘ，ｙ，ｚ≦２５５のうちの任意の値を取る任意の色で配色されているフルカラーモードである。つまり、このモード１では、任意の有彩色が割り当てられるものである。但し、他のモードに割り当てられる色調とは、明らかに区別できるものである。
【００２４】
モード２は赤色を苦手とする第１色覚異常と緑色を苦手とする第２色覚異常に対応するものであって、青黄系統の色調が割り当てられる青黄モードであり、この系統の色調は、図示する４つの条件▲１▼，▲２▼（青系統）と条件▲３▼，▲４▼（黄系統）のいずれかを満足する色で配色される。
【００２５】
モード３は高齢者及び赤色と緑色とを知覚でき、青と黒を混同する第３色覚異常とに対応するものであって、赤緑系統の色調が割り当てられる赤緑モードであり、この系統の色調は、図示する４つの条件▲１▼，▲２▼（赤系統）と条件▲３▼，▲４▼（緑系統）のいずれかを満足する色で配色される。
【００２６】
モード４は全ての色を知覚することができない一色型色覚に対応するものであり、ｘ＝ｙ＝ｚとして白黒表示が割り当てられるモノトーンモードである。
【００２７】
そこで、かかる色調の例によると、図２に示すモード設定画面５においては、例えば、「モード１」設定ボタン６ａが黄緑で、「モード２」設定ボタン６ｂが青色で、「モード３」設定ボタン６ｃが赤色で、「モード４」設定ボタン６ｄが白黒（白または灰色）で夫々表示され、これにより、色覚に異常がない標準者はどのモード設定ボタン６ａ〜６ｄも、ほぼ区別なしに、認識できることになるが、第１，第２色覚異常の視聴者に対しては、「モード２」設定ボタン６ｂが見易い色で表示されていることになり、高齢者や第３色覚異常の視聴者に対しては、「モード３」設定ボタン６ｃが見易い色で表示されていることになり、一色型色覚の視聴者に対しては、「モード３」設定ボタン６ｃが見易く表示されている。
【００２８】
なお、各設定ボタン６ａ〜６ｄには、その種類を表わす文字列も表示されるが、この文字列は、設定ボタン６ａ〜６ｄに対して割り当てられた上記の色彩に対し、そのときの視聴者が見易い形態（例えば、色調など）で表示される。以下の説明では、文字列については説明しないが、視聴者が上記の分類のいずれであっても、このように説明する色調に対して見易い形態で表示されるものである。例えば、第１，第２色覚異常対応の場合、説明する色調が、図３に示すモード２において、青色であるとすると、認識できてこの青色と明確に区別できる黄色で文字列を表示するようにする。
【００２９】
一方、上記のように、リモコン４の「メニュー」ボタン４ａ（図１（ｂ））を操作し、ＴＶ受像機１（図１（ａ））の表示画面２に図２に示すモード設定画面５が表示されると、このモード設定画面５には、モード設定ボタン６ａ〜６ｄのいずれか１つを選択するためのカーソル７が表示されるが、デフォルトとして、このカーソル７は先頭のモード設定ボタン、即ち、「モード１」設定ボタン６ａに重なり、これを選択した状態にある。ここでは、各モード設定ボタン６ａ〜６ｄの表示色をハッチングで示すが、カーソル７が重なったモード設定ボタンは、便宜上、「モード１」設定ボタン６ａで示すように、色付けのハッチングを除いて示しているが、カーソル７は透明なものであって、割り付けられた色で表示されている。このカーソル７は、リモコン４の「選択」ボタン４ｃ（図１（ｂ））を操作することによって移動させることができ、これにより、選択するモード設定ボタンを変更することができる。
【００３０】
また、このモード設定画面５の背景８は、カーソル７で選択されているモード設定ボタンに対して割り付けられた色調で色付けられている。図示する状態では、「モード１」設定ボタン６ａが選択されているので、この「モード１」設定ボタン６ａに割り付けられているフルカラー（図３）で背景８が色付けられている。このように、背景を選択された先端ボタンに割り付けられた色で色付け表示することにより、画面全体として、見易い色付けがなされているかどうかも判断できる。
【００３１】
このように、モード設定ボタン６ａ〜６ｄを夫々以上のような色調で色付け表示することにより、色覚異常の視聴者や高齢者などにとっては、見易い選択ボタンを容易に認識することができる。モード設定ボタン６ａ〜６ｄの選択は、各種事項の設定画面の表示色を選択するためのものであり、いずれのモード設定ボタン６ａ〜６ｄを選択しても、各種事項の設定画面の内容は同じであって、この設定画面の表示色が選択したモード選択画面に応じて異なるものである。そこで、上記のように、選択されたモード設定ボタンに割り当てられた色調で背景８を色表示することにより、モード設定ボタンの選択後に表示される各種事項の設定画面が見易い色調で表示されるものであるか否かを確認することもできるものである。
【００３２】
次に、図２に示すモード設定画面５でモード設定ボタン６ａ〜６ｄの選択決定をした場合の各種事項の設定のための操作画面について説明する。
【００３３】
モード設定画面５で「モード１」設定ボタン６ａが選択されている状態で、リモコン４の「決定」ボタン４ｄ（図１（ｂ））を操作すると、図４（ａ）に示す項目のメニュー画面９が表示画面２に表示される。このメニュー画面９では、例えば、「項目１」設定ボタン１０ａ，「項目２」設定ボタン１０ｂ，「項目３」設定ボタン１０ｃ，「項目４」設定ボタン１０ｄの４個の項目設定ボタンが表示され、そのうちのいずれか１つをカーソル７によって選択可能となっている。
【００３４】
また、このメニュー画面９では、夫々の項目設定ボタン１０ａ〜１０ｄが、モード設定画面５で選択された「モード１」設定ボタン６ａに割り当てられた色、即ち、標準者対応のフルカラー（図３）で色付け表示されており、その背景８も、これと同じ色で表示されている。これにより、メニュー画面９がそのときの視聴者（標準者）が見易い色で表示されることになり、各項目設定ボタン１０ａ〜１０ｄの確認などがし易いものとなる。また、図示しないが、背景８にメッセージや図柄などが描かれている場合には、これらも同じ色調で表示されるから、見易いものとなる。
【００３５】
この場合も、デフォルトとして、カーソル７が先頭の「項目１」設定ボタン１０ａを選択した状態にあり、リモコン４の「選択」ボタン４ｃ（図１（ｂ））を操作することにより、カーソル７を移動させて所望とする項目設定ボタンを選択することができるし、リモコン４の「決定」ボタン４ｄ（図１（ｂ））を操作することにより、選択されている項目設定ボタンを選択決定することができる。なお、ここでも、選択された項目設定ボタンは無地で表わしているが、これも便宜的なものであり、実際には、上記の色付けで表示されている。
【００３６】
リモコン４の「決定」ボタン４ｄ（図１（ｂ））により、このメニュー画面９で項目設定ボタン１０ａ〜１０ｄのいずれかを選択決定すると、図４（ｂ）に示す設定項目の設定画面１１が表示画面２に表示される。この設定画面１１では、例えば、「設定１」１２ａ，「設定２」１２ｂ，「設定３」１２ｃ，「設定４」１２ｄの４個の設定項目があり、夫々の設定項目毎に、「選択１」ボタン１３，「選択２」ボタン１３，……といった１以上の選択ボタン１３がカーソル７で選択可能に設けられている。
【００３７】
また、この設定画面１１でも、夫々の設定項目や選択項目、さらには、背景８も、モード設定画面５で選択された「モード１」設定ボタン６ａに割り当てられた色、即ち、標準者対応のフルカラー（図３）で色付け表示されている。これにより、設定画面１１がそのときの視聴者の見易い色で表示されることになり、各設定項目や選択ボタン項目１３の確認などがし易いものとなる。また、図示しないが、背景８にメッセージや図柄などが描かれている場合には、これらも同じ色調で表示されるから、見易いものとなる。
【００３８】
この場合も、デフォルトとして、カーソル７が先頭の設定項目である「設定１」１２ａの最初の選択ボタン１３を選択した状態にあり、リモコン４の「選択」ボタン４ｃ（図１（ｂ））を操作することにより、カーソル７を上下，左右に移動させて所望とする設定項目の選択ボタン１３を選択することができるし、リモコン４の「決定」ボタン４ｄ（図１（ｂ））を操作することにより、選択されている選択ボタン１３を選択決定することができる。
【００３９】
次に、図２に示すモード設定画面５で、リモコン４の「選択」ボタン４ｃ（図１（ｂ））を操作し、カーソル７を移動させて次の「モード２」設定ボタン６ｂを選択すると、図５に示すモード設定画面５ー１となる。
【００４０】
かかるモード設定画面５ー１においては、カーソル７によって「モード２」設定ボタン６ｂが選択されており、この「モード２」設定ボタン６ｂや背景８がこの「モード２」設定ボタン６ｂに割り付けられた色調、即ち、図３に示すモード２の第１，第２色覚異常対応の色調である青もしくは黄色で色付けられている。ここでも、カーソル７に一致している「モード２」設定ボタン６ｂを無地で表わしているが、これは上記と同様の便宜的なものである。
【００４１】
「モード２」設定ボタン６ｂが選択されている状態にあるモード設定画面５ー１で、リモコン４の「決定」ボタン４ｄ（図１（ｂ））を操作すると、図６（ａ）に示す項目のメニュー画面９ー１が表示画面２に表示される。このメニュー画面９ー１では、図４に示すメニュー画面９での項目設定ボタン１０ａ〜１０ｄと全く同じ内容の「項目１」設定ボタン１０ａ，「項目２」設定ボタン１０ｂ，「項目３」設定ボタン１０ｃ，「項目４」設定ボタン１０ｄの４個の項目設定ボタンが表示され、そのうちのいずれか１つをカーソル７によって選択可能となっている。
【００４２】
また、このメニュー画面９ー１では、夫々の項目設定ボタン１０ａ〜１０ｄが、図５に示すモード設定画面５ー１で選択された「モード２」設定ボタン６ｂに割り当てられた色、即ち、第１，第２色覚異常に対応の青もしくは黄色の色調（図３）で色付け表示されており、その背景８も、同じ色で表示されている。これにより、メニュー画面９ー１がそのときの第１，第２色覚異常の視聴者が見易い色で表示されることになり、各項目設定ボタン１０ａ〜１０ｄの確認などがし易いものとなる。また、図示しないが、背景８にメッセージや図柄などが描かれている場合には、これらも同じ色調で表示されるから、見易いものとなる。
【００４３】
リモコン４の「決定」ボタン４ｄ（図１（ｂ））により、このメニュー画面９ー１で項目設定ボタン１０ａ〜１０ｄのいずれかを選択決定すると、図６（ｂ）に示す設定項目の設定画面１１ー１が表示画面２に表示される。この設定画面１１ー１では、図４（ｂ）に示す設定画面１１と同様に、「設定１」１２ａ，「設定２」１２ｂ，「設定３」１２ｃ，「設定４」１２ｄの４個の設定項目があり、夫々の設定項目毎に、「選択１」ボタン１３，「選択２」ボタン１３，……といった１以上の選択ボタン１３がカーソル７で選択可能に設けられている。これら「設定１」１２ａ，「設定２」１２ｂ，「設定３」１２ｃ，「設定４」１２ｄも、また、「選択１」ボタン１３，「選択２」ボタン１３，……も、図４（ｂ）に示す設定画面１１における「設定１」１２ａ，「設定２」１２ｂ，「設定３」１２ｃ，「設定４」１２ｄや「選択１」ボタン１３，「選択２」ボタン１３，……と全く同じ内容のものである。
【００４４】
また、この設定画面１１ー１でも、夫々の設定項目や選択項目、さらには、背景８も、モード設定画面５ー１で選択された「モード２」設定ボタン６ｂに割り当てられた色、即ち、第１，第２色覚異常に対応の青もしくは黄色の色調（図３）で色付け表示されている。これにより、設定画面１１ー１がそのときの第１，第２色覚異常の視聴者の見易い色で表示されることになり、各設定項目や選択ボタン項目１３の確認などがし易いものとなる。また、図示しないが、背景８にメッセージや図柄などが描かれている場合には、これらも同じ色調で表示されるから、見易いものとなる。
【００４５】
この場合も、デフォルトとして、カーソル７が先頭の設定項目である「設定１」１２ａの最初の選択ボタン１３を選択した状態にあり、リモコン４の「選択」ボタン４ｃ（図１（ｂ））を操作することにより、カーソル７を上下，左右に移動させて所望とする設定項目の選択ボタン１３を選択することができるし、リモコン４の「決定」ボタン４ｄ（図１（ｂ））を操作することにより、選択されている選択ボタン１３を選択決定することができる。
【００４６】
図２に示すモード設定画面５で、リモコン４の「選択」ボタン４ｃ（図１（ｂ））を操作し、カーソル７を移動させて次の「モード３」設定ボタン６ｃを選択すると、図７に示すモード設定画面５ー２となる。
【００４７】
かかるモード設定画面５ー２においては、カーソル７によって「モード３」設定ボタン６ｃが選択されており、この「モード３」設定ボタン６ｃや背景８がこの「モード３」設定ボタン６ｃに割り付けられた色調、即ち、図３に示すモード３の高齢者や第３色覚異常対応の色調である赤もしくは緑色で色付けられている。ここでも、カーソル７に一致している「モード３」設定ボタン６ｃを無地で表わしているが、これは上記と同様の便宜的なものである。
【００４８】
モード設定画面５ー２で「モード３」設定ボタン６ｃが選択されている状態で、リモコン４の「決定」ボタン４ｄ（図１（ｂ））を操作すると、図８（ａ）に示す項目のメニュー画面９ー２が表示画面２に表示される。このメニュー画面９ー２では、図４に示すメニュー画面９での項目設定ボタン１０ａ〜１０ｄと全く同じ内容の「項目１」設定ボタン１０ａ，「項目２」設定ボタン１０ｂ，「項目３」設定ボタン１０ｃ，「項目４」設定ボタン１０ｄの４個の項目設定ボタンが表示され、そのうちのいずれか１つをカーソル７によって選択可能となっている。
【００４９】
また、このメニュー画面９ー２では、夫々の項目設定ボタン１０ａ〜１０ｄが、図７に示すモード設定画面５ー２で選択された「モード３」設定ボタン６ｃに割り当てられた色、即ち、高齢者や第３色覚異常に対応の青もしくは黄色の色調（図３）で色付け表示されており、その背景８も、同じ色で表示されている。これにより、メニュー画面９ー２がそのときの高齢の、もしくは第３色覚異常の視聴者が見易い色で表示されることになり、各項目設定ボタン１０ａ〜１０ｄの確認などがし易いものとなる。また、図示しないが、背景８にメッセージや図柄などが描かれている場合には、これらも同じ色調で表示されるから、見易いものとなる。
【００５０】
リモコン４の「決定」ボタン４ｄ（図１（ｂ））により、このメニュー画面９ー２で項目設定ボタン１０ａ〜１０ｄのいずれかを選択決定すると、図８（ｂ）に示す設定項目の設定画面１１ー２が表示画面２に表示される。この設定画面１１ー２では、図４（ｂ）に示す設定画面１１と同様に、「設定１」１２ａ，「設定２」１２ｂ，「設定３」１２ｃ，「設定４」１２ｄの４個の設定項目があり、夫々の設定項目毎に、「選択１」ボタン１３，「選択２」ボタン１３，……といった１以上の選択ボタン１３がカーソル７で選択可能に設けられている。これら「設定１」１２ａ，「設定２」１２ｂ，「設定３」１２ｃ，「設定４」１２ｄも、また、「選択１」ボタン１３，「選択２」ボタン１３，……も、図４（ｂ）に示す設定画面１１における「設定１」１２ａ，「設定２」１２ｂ，「設定３」１２ｃ，「設定４」１２ｄや「選択１」ボタン１３，「選択２」ボタン１３，……と全く同じ内容のものである。
【００５１】
また、この設定画面１１ー２でも、夫々の設定項目や選択項目、さらには、背景も、モード設定画面５ー２で選択された「モード３」設定ボタン６ｃに割り当てられた色、即ち、高齢者や第３色覚異常に対応の赤もしくは緑色の色調（図３）で色付け表示されている。これにより、設定画面１１ー２がそのときの高齢の、もしくは第３色覚異常の視聴者の見易い色で表示されることになり、各設定項目や選択ボタン項目１３の確認などがし易いものとなる。また、図示しないが、背景８にメッセージや図柄などが描かれている場合には、これらも同じ色調で表示されるから、見易いものとなる。
【００５２】
この場合も、デフォルトとして、カーソル７が先頭の設定項目である「設定１」１２ａの最初の選択ボタン１３を選択した状態にあり、リモコン４の「選択」ボタン４ｃ（図１（ｂ））を操作することにより、カーソル７を上下，左右に移動させて所望とする設定項目の選択ボタン１３を選択することができるし、リモコン４の「決定」ボタン４ｄ（図１（ｂ））を操作することにより、選択されている選択ボタン１３を選択決定することができる。
【００５３】
図２に示すモード設定画面５で、リモコン４の「選択」ボタン４ｃ（図１（ｂ））を操作し、カーソル７を移動させて次の「モード４」設定ボタン６ｄを選択すると、図９に示すモード設定画面５ー３となる。
【００５４】
かかるモード設定画面５ー３においては、カーソル７によって「モード４」設定ボタン６ｄが選択されており、この「モード４」設定ボタン６ｄや背景８がこの「モード４」設定ボタン６ｄに割り付けられた図３に示すモード４の一色型色覚対応である白黒で表示されている。ここでも、カーソル７に一致している「モード４」設定ボタン６ｄを無地で表わしているが、これは上記と同様の便宜的なものである。
【００５５】
モード設定画面５ー３で「モード４」設定ボタン６ｄが選択されている状態で、リモコン４の「決定」ボタン４ｄ（図１（ｂ））を操作すると、図１０（ａ）に示す項目のメニュー画面９ー３が表示画面２に表示される。このメニュー画面９ー３では、図４に示すメニュー画面９での項目設定ボタン１０ａ〜１０ｄと全く同じ内容の「項目１」設定ボタン１０ａ，「項目２」設定ボタン１０ｂ，「項目３」設定ボタン１０ｃ，「項目４」設定ボタン１０ｄの４個の項目設定ボタンが表示され、そのうちのいずれか１つをカーソル７によって選択可能となっている。　また、このメニュー画面９ー３では、夫々の項目設定ボタン１０ａ〜１０ｄが、図９に示すモード設定画面５ー３で選択された「モード４」設定ボタン６ｄに割り当てられた白黒（図３）で表示されており、その背景８も、同じく白黒で表示されている。これにより、メニュー画面９ー３がそのときの一色型色覚の視聴者が見易い状態で表示されることになり、各項目設定ボタン１０ａ〜１０ｄの確認などがし易いものとなる。また、図示しないが、背景８にメッセージや図柄などが描かれている場合には、これらも同じ白黒で表示されるから、見易いものとなる。
【００５６】
リモコン４の「決定」ボタン４ｄ（図１（ｂ））により、このメニュー画面９ー３で項目設定ボタン１０ａ〜１０ｄのいずれかを選択決定すると、図１０（ｂ）に示す設定項目の設定画面１１ー３が表示画面２に表示される。この設定画面１１ー３では、図４（ｂ）に示す設定画面１１と同様に、「設定１」１２ａ，「設定２」１２ｂ，「設定３」１２ｃ，「設定４」１２ｄの４個の設定項目があり、夫々の設定項目毎に、「選択１」ボタン１３，「選択２」ボタン１３，……といった１以上の選択ボタン１３がカーソル７で選択可能に設けられている。これら「設定１」１２ａ，「設定２」１２ｂ，「設定３」１２ｃ，「設定４」１２ｄも、また、「選択１」ボタン１３，「選択２」ボタン１３，……も、図４（ｂ）に示す設定画面１１における「設定１」１２ａ，「設定２」１２ｂ，「設定３」１２ｃ，「設定４」１２ｄや「選択１」ボタン１３，「選択２」ボタン１３，……と全く同じ内容のものである。
【００５７】
また、この設定画面１１ー３でも、夫々の設定項目や選択項目、さらには、背景も、モード設定画面５ー３で選択された「モード４」設定ボタン６ｄに割り当てられた一色型色覚に対応の白黒画面表示されている。これにより、設定画面１１ー３がそのときの一色型色覚の視聴者の見易い状態で表示されることになり、各設定項目や選択ボタン項目１３の確認などがし易いものとなる。また、図示しないが、背景８にメッセージや図柄などが描かれている場合には、これらも同じ白黒で表示されるから、見易いものとなる。
【００５８】
この場合も、デフォルトとして、カーソル７が先頭の設定項目である「設定１」１２ａの最初の選択ボタン１３を選択した状態にあり、リモコン４の「選択」ボタン４ｃ（図１（ｂ））を操作することにより、カーソル７を上下，左右に移動させて所望とする設定項目の選択ボタン１３を選択することができるし、リモコン４の「決定」ボタン４ｄ（図１（ｂ））を操作することにより、選択されている選択ボタン１３を選択決定することができる。
【００５９】
以上のように、この第１の実施形態では、色覚特性に応じた色調（白黒も含む）で画面表示をするものであるから、画面での操作のための操作ボタンなどが見易くなって、その確認が容易となり、色覚特性が異なる視聴者がＴＶ受像機１の設定操作を行なっても、夫々の視聴者にとって操作がやり易いものとなる。
【００６０】
また、色調の種類をモードとして、設定操作のための画面を表示させる前にかかるモードを選択可能としているので、かかる画面での操作を確実にし易くするものであるし、さらに、モードの設定画面で実際に選択可能な色調を表示するものであるから、その選択操作の誤りも低減することができる。
【００６１】
なお、以上の説明では、図４において、メニュー画面９と設定画面１１を表示することにより、各種事項の設定をするものとしたが、これは各種事項が階層的に分類されていることを前提としたものであり、このような分類をせずに、各種設定事項を羅列して選択できるようにする場合には、設定画面などのこれらを羅列した画面を表示して、そのうちの所望の事項の操作ボタンを操作するようにしてもよい。
【００６２】
また、上記第１の実施形態は、ＴＶ受像機を例に説明したものであるが、ＡＴＭ（自動預入支払機）や券売機などのタッチ操作機能を備えた操作装置に対しても、同様に適用可能であり、上記のＴＶ受像機とは、リモコンの代わりに画面タッチによる操作が行なわれる点が異なるだけである。
【００６３】
図１１は本発明による表示画面自動切替システムの第２の実施形態を用いたネットワーク構成を示す図であって、１４はサーバ、１５，１６は専用端末、１７はＰＣ（パーソナル・コンピュータ）、１８はインターネットである。
ここでは、銀行サービスを例として説明する。従って、図１１における専用端末１５，１６はＡＴＭ（自動現金預入支払機）とする。
【００６４】
図１１において、銀行の本店や支店に設置された専用端末１５が、専用回線を介して、本店などに設置されているサーバ１４に接続されている。また、コンビニや駅などに設置されている専用端末１６は、インターネット１８を介して、サーバ１４に接続されている。さらに、個人や法人（以下、顧客という）がこの銀行とＰＣでもって取引することができるようにしたシステム、即ち、インターネット・バイキング（オンライン・バイキング）も構築されており、このために、各顧客のＰＣ１７が、インターネット１８を介して、サーバ１４に接続されている。
【００６５】
サーバ１４には、各顧客の取引情報（預金などの情報）や個人情報（氏名，住所，性別，年齢，電話番号，カード番号，識別番号など）が格納されており、かかる個人情報を基に専用端末１５，１６やＰＣ１７とサーバ１４との間の通信を可能とすることにより、顧客が銀行と取引できるようにしている。即ち、専用端末１５，１６では、顧客が所有のカードを挿入することにより、このカードからカード番号などのカード情報が読み取られ、これがサーバ１４に送られる。サーバ１４は、専用端末１５，１６からのカード情報を格納している個人情報と照合して顧客を確認し、その専用端末１５，１６を用いた顧客の取引を可能にする。また、ＰＣ１７については、顧客がその識別番号をＰＣ１７に入力することにより、この識別番号がサーバ１４に送信され、サーバ１４では、この識別番号と個人情報との照合により、その顧客の確認が行なわれる。
【００６６】
以上のような顧客確認の処理が行なわれ、サーバ１４に登録されている取引上の顧客であることが確認されると、サーバ１４は、通信する専用端末１５，１６もしくはＰＣ１７に、顧客が銀行と取引するための操作画面を送る。
【００６７】
この第２の実施形態の表示画面自動切替システムは、サーバ１４に蓄積されている顧客の個人情報に基づいて、あるいは顧客の選択により、顧客に適した態様で、より具体的には、この顧客が見易くて操作し易いように、操作画面の表示を行なうものであり、顧客に応じて操作画面の表示形態を切り替えることができるようにしたものである。以下、専用端末１５，１６やＰＣ１７の表示画面に表示される操作画面でもってこの第２の実施形態を説明する。
【００６８】
このような銀行取引の場合には、いろいろな顧客がいるが、この第２の実施形態では、かかる顧客を色覚特性が標準の顧客（以下、標準顧客という）、色弱（例えば、第１〜第３色覚異常）の顧客、例えば、７０歳以上の高齢な顧客、一色型色覚の顧客とに分類して説明する。これらの識別はサーバ１４が個人情報を基に行なうものである。
【００６９】
図１２は表示画面に表示された操作画面の一具体例を示す図であって、１９は操作画面、２０は操作エリア、２１は選択エリア、２２は入力部、２３は「確認」ボタン、２４は「戻る」ボタン、２５は「取消」ボタン、２６は広告欄、２７ａは「Ａ」選択ボタン、２７ｂは「Ｂ」選択ボタン、２７ｃは「拡大」選択ボタン、２７ｄは「白黒」選択ボタン、２８は選択表示領域である。
【００７０】
同図において、操作画面１９は操作エリア２０と選択エリア２１とからなり、操作エリア２０には、入出金などの入力操作のための入力部２２と、取引を実行させるための「確認」ボタン２３と、例えば、取引が終了して図示しない初期画面に戻すための「戻る」ボタン２４と、入力部２２での入力金額などを取り消すための「取消」ボタン２５が表示されており、また、例えば、操作エリア２０の下辺部には、取引銀行の案内や新製品の紹介などの広告を表示する広告欄２６が設けられている。
【００７１】
なお、かかる操作画面１９が表示される表示画面が専用端末１５，１６（図１１）の表示画面であるときには、これにタッチパネルが設けられており、表示画面のタッチによって操作が可能である。ＰＣ１７の表示画面の場合には、そのキーボードやマウスの操作によるものである。
【００７２】
また、選択エリア２１には、上記の顧客の分類に応じて、「Ａ」選択ボタン２７ａ，「Ｂ」選択ボタン２７ｂ，「拡大」選択ボタン２７ｃ，「白黒」選択ボタン２７ｄの４個の選択ボタンが表示されており、そのいずれかをタッチ操作によって選択できるようにしている。操作画面１９では、常にこれら「Ａ」選択ボタン２７ａ，「Ｂ」選択ボタン２７ｂ，「拡大」選択ボタン２７ｃ，「白黒」選択ボタン２７ｄのいずれか１つが選択された状態にあり、その選択された選択ボタンが選択表示領域２８に表示される。ここでは、「Ａ」選択ボタン２７ａが選択されているものとして、この選択表示領域２８に「Ａ」と表示されている。なお、これら「Ａ」，「Ｂ」は、例えば、上記分類の標準顧客，色弱な顧客に応じ他表示形態を表わすものであり、これら「Ａ」選択ボタン２７ａ，「Ｂ」選択ボタン２７ｂの名称に相当するものである。
【００７３】
ここで、「Ａ」選択ボタン２７ａは上記顧客分類の標準顧客に対応するものであり、「Ｂ」選択ボタン２７ｂは色弱な顧客に対応するものであり、「拡大」選択ボタン２７ｃは高齢な顧客に対応するものであり、「白黒」選択ボタン２７ｄは一色型色覚の顧客に対応するものである。
【００７４】
図１２に示す操作画面１９は「Ａ」選択ボタン２７ａが選択されたときのものである。即ち、図１１において、この顧客が、専用端末１５，１６を使用しているときには、そこにカードを挿入することにより、もしくはＰＣ１７を使用しているときには、自身の識別番号を入力することにより、サーバ１４はその個人情報からこの顧客が標準顧客と判定し、専用端末１５，１６もしくはＰＣ１７の表示画面に図１２に示す操作画面１９を表示させるのである。
【００７５】
ところで、かかる操作画面１９において、「Ａ」選択ボタン２７ａ，「Ｂ」選択ボタン２７ｂ，「拡大」選択ボタン２７ｃ，「白黒」選択ボタン２７ｄは夫々、背景に選択ボタンの種類を示す文字列が表示されてなるものであるが、かかる文字列が見易いように、その文字列の色調や背景のパターン，色調が設定されている。即ち、「Ａ」選択ボタン２７ａに対しては、標準顧客がその文字列「Ａ」を読み易いように、その文字列の色調や背景のパターン，色調が決められており、「Ｂ」選択ボタン２７ｂに対しては、色弱の顧客がその文字列「Ｂ」を読み易いように、その文字列の色調や背景のパターン，色調が決められており、「拡大」選択ボタン２７ｃに対しては、高齢の顧客がその文字列「拡大」を読み易いように、その文字列の色調や背景のパターン，色調が決められており、「白黒」選択ボタン２７ｄに対しては、一色型色覚の顧客がその文字列「白黒」を読み易いように、その文字列の色調や背景のパターン，色調が決められている。
【００７６】
そして、この操作画面１９の操作エリア２０では、そこに表示される入力部２２のテンキーや「確認」ボタン２３，「戻る」ボタン２４，「取消」ボタン２５が、選択エリア２１で選択されている選択ボタンと同じ色調，パターンの文字列，背景で表わされている。図示する操作画面１９では、選択エリア２１で「Ａ」選択ボタン２７ａが選択されているものであるから、入力部２２のテンキーや「確認」ボタン２３，「戻る」ボタン２４，「取消」ボタン２５の文字列は「Ａ」選択ボタン２７ａの文字列と同様の見易い色調で表示され、背景は「Ａ」選択ボタン２７ａの背景と同じパターン，色調で表示される。広告欄２６の表示も同様である。
【００７７】
このようにして、標準顧客用としてのこの操作画面１９では、その操作エリアでのテンキーや各ボタンなどの操作部材や広告欄の表示がそこでの文字列を標準顧客が読み易いような色調やパターンでなされており、従って、標準顧客としては、操作部材や広告欄を容易にかつ間違いなく確認することができ、操作性が大幅に向上する。
【００７８】
なお、かかる標準顧客用の操作画面１９において、選択エリア２１での他の選択ボタン２７ｂ，２７ｃ，２７ｄを選択することにより、標準顧客用以外の操作画面とすることができ、操作エリア２０での各操作部材の文字列やその背景は、選択されて選択ボタンに割り当てられた色調，パターンで表示されることになるが、広告欄２６については、文字列やその背景の色調，パターンは変化せず、サーバ１４のこの顧客の個人情報に基づいた色調，パターン（即ち、「Ａ」選択ボタン２７ａで表わされる色調やパターン）で表示されたままである。
【００７９】
図１３に示す操作画面１９ー１は「Ｂ」選択ボタン２７ｂが選択されたときのものである。即ち、図１１において、サーバ１４が、上記のカードや識別番号基に、このときの顧客が色弱な顧客と判定し、専用端末１５，１６もしくはＰＣ１７の表示画面に図１３に示す操作画面１９ー１を表示させるのである。
【００８０】
かかる操作画面１９ー１では、上記のように、「Ｂ」選択ボタン２７ｂに対しては、色弱の顧客がその文字列「Ｂ」を読み易いように、その文字列の色調や背景のパターン，色調が決められており、その操作エリア２０では、そこに表示される入力部２２のテンキーや「確認」ボタン２３，「戻る」ボタン２４，「取消」ボタン２５が、選択エリア２１で選択されている選択ボタンと同様の見易い色調，パターンの文字列，背景で表わされている。図示する操作画面１９ー１では、選択エリア２１で「Ｂ」選択ボタン２７ｂが選択されているものであるから、入力部２２のテンキーや「確認」ボタン２３，「戻る」ボタン２４，「取消」ボタン２５の文字列は「Ｂ」選択ボタン２７ｂの文字列と同様の見易い色調で表示され、背景は「Ｂ」選択ボタン２７ｂの背景と同じパターン，色調で表示される。広告欄２６の表示も同様である。
【００８１】
このようにして、色弱な顧客用としてのこの操作画面１９ー１では、その操作エリアでのテンキーや各ボタンなどの操作部材や広告欄の表示がそこでの文字列を色弱な顧客が読み易いような色調やパターンでなされており、従って、色弱な顧客としては、操作部材や広告欄を容易にかつ間違いなく確認することができ、操作性が大幅に向上する。
【００８２】
なお、かかる色弱な顧客用の操作画面１９ー１において、選択エリア２１での他の選択ボタン２７ａ，２７ｃ，２７ｄを選択することにより、色弱な顧客用以外の操作画面とすることもでき、操作エリア２０での各操作部材の文字列やその背景は、選択されて選択ボタンに割り当てられた色調，パターンで表示されることになるが、広告欄２６については、文字列やその背景の色調，パターンは変化せず、サーバ１４のこの顧客の個人情報に基づいた色調，パターン（即ち、「Ｂ」選択ボタン２７ｂで表わされる色調やパターン）で表示されたままである。
【００８３】
図１４に示す操作画面１９ー２は「拡大」選択ボタン２７ｃが選択されたときのものである。即ち、図１１において、サーバ１４が、上記のカードや識別番号基に、このときの顧客が高齢な顧客と判定し、専用端末１５，１６もしくはＰＣ１７の表示画面に図１４に示す操作画面１９ー２を表示させるのである。
【００８４】
かかる操作画面１９ー２では、上記のように、「拡大」選択ボタン２７ｃに対しては、高齢な顧客がその文字列「拡大」を読み易いように、その文字列の色調や背景のパターン，色調が決められており、その操作エリア２０では、そこに表示される入力部２２のテンキーや「確認」ボタン２３，「戻る」ボタン２４，「取消」ボタン２５が、選択エリア２１で選択されている選択ボタンと同様の見易い色調，パターンの文字列，背景で表わされている。図示する操作画面１９ー２では、選択エリア２１で「拡大」選択ボタン２７ｃが選択されているものであるから、入力部２２のテンキーや「確認」ボタン２３，「戻る」ボタン２４，「取消」ボタン２５の文字列はこの「拡大」選択ボタン２７ｃの文字列と同様の見易い色調で表示され、背景はこの「拡大」選択ボタン２７ｃの背景と同じパターン，色調で表示される。これとともに、高齢な顧客がさらに見易くなるようにするために、入力部２２や「確認」ボタン２３，「戻る」ボタン２４，「取消」ボタン２５が拡大して表示される。しかし、この拡大表示とともに、操作画面１９，１９ー１で表示された広告欄２６は、この操作画面１９ー２では、表示するのが難しくなり、このため、かかる広告欄２６は表示しない。
【００８５】
このようにして、高齢な顧客用としてのこの操作画面１９ー２では、その操作エリアでのテンキーや各ボタンなどの操作部材や広告欄が、そこでの文字列を高齢な顧客が読み易いような色調やパターンで、かつ拡大して表示されており、従って、高齢な顧客としては、操作部材を容易にかつ間違いなく確認することができ、操作性が大幅に向上する。
【００８６】
なお、かかる高齢な顧客用の操作画面１９ー２においても、選択エリア２１での他の選択ボタン２７ａ，２７ｃ，２７ｄを選択することにより、高齢な顧客用以外の操作画面とすることもできる。
【００８７】
図１５に示す操作画面１９ー３は「白黒」選択ボタン２７ｄが選択されたときのものである。即ち、図１１において、サーバ１４が、上記のカードや識別番号基に、このときの顧客が一色型色覚の顧客と判定し、専用端末１５，１６もしくはＰＣ１７の表示画面に図１５に示す操作画面１９ー３を表示させるのである。
【００８８】
かかる操作画面１９ー３では、上記のように、「白黒」選択ボタン２７ｄに対しては、一色型色覚の顧客がその文字列「白黒」を読み易いように、その文字列の色調や背景のパターン，色調が決められており、その操作エリア２０では、そこに表示される入力部２２のテンキーや「確認」ボタン２３，「戻る」ボタン２４，「取消」ボタン２５が、選択エリア２１で選択されている選択ボタンと同じ色調，パターンの文字列，背景で表わされている。図示する操作画面１９ー３では、選択エリア２１で「白黒」選択ボタン２７ｄが選択されているものであるから、入力部２２のテンキーや「確認」ボタン２３，「戻る」ボタン２４，「取消」ボタン２５の文字列は「白黒」選択ボタン２７ｄの文字列と同じ色調で表示され、背景は「白黒」選択ボタン２７ｄの背景と同じパターン，色調で表示される。広告欄２６の表示も同様である。
【００８９】
このようにして、一色型色覚の顧客用としてのこの操作画面１９ー３では、その操作エリアでのテンキーや各ボタンなどの操作部材や広告欄の表示がそこでの文字列を一色型色覚の顧客が読み易いような色調やパターンでなされており、従って、一色型色覚の顧客としては、操作部材や広告欄を容易にかつ間違いなく確認することができ、操作性が大幅に向上する。
【００９０】
なお、かかる一色型色覚の顧客用の操作画面１９ー３において、選択エリア２１での他の選択ボタン２７ａ，２７ｂ，２７ｃを選択することにより、一色型色覚の顧客用以外の操作画面とすることもでき、操作エリア２０での各操作部材の文字列やその背景は、選択されて選択ボタンに割り当てられた色調，パターンで表示されることになるが、広告欄２６については、文字列やその背景の色調，パターンは変化せず、サーバ１４のこの顧客の個人情報に基づいた色調，パターン（即ち、「白黒」選択ボタン２７ｄで表わされる色調やパターン）で表示されたままである。
【００９１】
以上のように、この第２の実施形態では、操作画面の操作エリアの各操作部材や広告欄が顧客である操作者の色覚特性に応じた形態で表示され、色覚特性に拘らず、操作者にとって見易い、認識し易い形態で表示されものであるから、操作が非常にやり易いものとなって操作性が向上する。しかも、表示画面でのかかる表示形態は、操作者の個人情報に基づいて、機械的（自動的に）に選択されるものであるから、操作者が意識することなくこの操作者に最適な表示形態で操作画面が表示されることになる。勿論、操作者がかかる表示形態を選択することも可能であり、操作者により適したと認識する表示形態も設定できる。なお、このように、表示形態を操作者自身が選択しても、広告欄２６については、サーバ１４に格納されている個人情報に基づいた表示形態としている。これは、操作部材と広告とは、同じ表示形態で表示したとき、見え方が異なる場合もあって、操作部材が見易いものとなったとしても、必ずしも広告が見易くなったとは限らないからであり、このことから、個人情報に基づく表示態様で表示した方がむしろそのときの操作者に適合していることに変わりないからである。
【００９２】
なお、この第２の実施形態では、顧客（操作者）を上記のように分類したものであるが、分類の仕方としては、色覚の違いを考慮すれば、任意に決めることができるものであって、上記の分類に限定されるものではない。従って、例えば、上記の分類では、標準顧客と色弱な顧客との分類を行なったが、色弱者は、女性では、非常に少なく、それに対して、男性では、比率が多いことから、標準顧客の代わりに「女性」の顧客、色弱な顧客の代わりに「男性」の顧客とする分類をすることもできる。
【００９３】
また、この第２の実施形態は、銀行サービスシステムを例に説明したが、本発明はこれのみに限るものではなく、券売機によるシステムなど画面操作を行なう他のシステムにも適用可能であることはいうまでもない。
【００９４】
【発明の効果】
以上説明したように、本発明によると、色覚特性に応じた色調（白黒も含む）で画面表示をするものであるから、画面での操作のための操作ボタンなどが見易くなって、その確認が容易となり、色覚特性が異なる視聴者がＴＶ受像機１の設定操作を行なっても、夫々の視聴者にとって操作がやり易いものとなる。
【００９５】
また、色調の種類をモードとして、設定操作のための画面を表示させる前にかかるモードを選択可能としているので、かかる画面での操作を確実にし易くするものであるし、さらに、モードの設定画面で実際に選択可能な色調を表示するものであるから、その選択にも、誤りが生ずる余地がない。
【００９６】
また、本発明によると、操作画面の操作エリアの各操作部材や広告欄が顧客である操作者の色覚特性に応じた形態で表示され、色覚特性に拘らず、操作者にとって見易い、認識し易い形態で表示されものであるから、操作が非常にやり易いものとなって操作性が向上する。
【００９７】
しかも、表示画面でのかかる表示形態は、操作者の個人情報に基づいて、機械的（自動的に）に選択されるものであるから、操作者が意識することなくこの操作者に最適な表示形態で操作画面が表示されることになる。勿論、操作者がかかる表示形態を選択することも可能であり、操作者により適したと認識する表示形態も設定できる。
【００９８】
しかも、このように、表示形態を操作者自身が選択しても、広告欄については、個人情報に基づいた表示形態としているので、少なくとも、そのときの操作者に適合した表示がなされていることになり、広告欄の見易さが維持されることになる。
【図面の簡単な説明】
【図１】本発明による表示画面自動切替システムの第１の実施形態を示す図である。
【図２】第１の実施形態でのモード１を選択したときのモード設定画面の一具体例を示す図である。
【図３】第１の実施形態でのモードの一具体例を示す図である。
【図４】図２に示すモード設定画面でモード１を選択決定したときの各種項目の設定のための画面の一具体例を示す図である。
【図５】モード２を選択したときのモード設定画面を示す図である。
【図６】図５で示すモード設定画面でのモード２の選択を決定したときの各種項目の設定のための画面の一具体例を示す図である。
【図７】モード３を選択したときのモード設定画面を示す図である。
【図８】図７で示すモード設定画面でのモード３の選択を決定したときの各種項目の設定のための画面の一具体例を示す図である。
【図９】モード４を選択したときのモード設定画面を示す図である。
【図１０】図９で示すモード設定画面でのモード４の選択を決定したときの各種項目の設定のための画面の一具体例を示す図である。
【図１１】本発明による表示画面自動切替システムの第２の実施形態を用いたネットワーク構成を示す図である。
【図１２】第２の実施形態での操作画面の一具体例を示す図である。
【図１３】第２の実施形態での操作画面の他の具体例を示す図である。
【図１４】第２の実施形態での操作画面のさらに他の具体例を示す図である。
【図１５】第２の実施形態での操作画面のさらに他の具体例を示す図である。
【符号の説明】
１　ＴＶ受像機
２　表示画面
３　リモコン受光部
４　リモコン
４ａ　「メニュー」ボタン
４ｂ　「画面表示」ボタン
４ｃ　「選択」ボタン
４ｄ　「決定」ボタン
４ｅ　「戻る」ボタン
４ｆ　「電源」ボタン
４ｇ　テンキー
５，５ー１〜５ー３　モード設定画面
６ａ〜６ｄ　モード設定ボタン
７　カーソル
８　背景
９，９ー１〜９ー３　メニュー画面
１０ａ〜１０ｄ　項目設定ボタン
１１，１１ー１〜１１ー３　設定画面
１２ａ〜１２ｄ　設定項目
１３　選択ボタン
１４　サーバ
１５，１６　専用端末
１７　ＰＣ
１８　インターネット
１９，１９ー１〜１９ー３　操作画面
２０　操作エリア
２１　選択エリア
２２　入力部
２３　「確認」ボタン
２４　「戻る」ボタン
２５　「取消」ボタン
２６　広告欄
【図１】
2004077828.tif 000003
【図２】
2004077828.tif 000004
【図３】
2004077828.tif 000005
【図４】
2004077828.tif 000006
【図５】
2004077828.tif 000007
【図６】
2004077828.tif 000008
【図７】
2004077828.tif 000009
【図８】
2004077828.tif 000010
【図９】
2004077828.tif 000011
【図１０】
2004077828.tif 000012
【図１１】
2004077828.tif 000013
【図１２】
2004077828.tif 000014
【図１３】
2004077828.tif 000015
【図１４】
2004077828.tif 000016
【図１５】
2004077828.tif 000017